(57)【要約】      （修正有）【課題】密封効果に優れた人工雪製造機用ドラム式蒸発器を提供する。【解決手段】ドラム式蒸発器が内外二層を含み、そのうち内層が高圧管１０２及び低圧管１０１上に固定され、外層が内層と相互に対応し、且つ相対して回転可能である。これにより、ドラム式蒸発器がドラム１２５を二層に分ける。【選択図】図１
0003156583.tif 000002
【実用新案登録請求の範囲】
【請求項１】
人工雪製造機用ドラム式蒸発器であって、前記人工雪製造機用ドラム式蒸発器が、内外二層を含み、そのうち、前記内層が高圧管及び低圧管上に固定され、前記外層が前記内層と相互に対応し、且つ相対して回転可能であることを特徴とする、人工雪製造機用ドラム式蒸発器。
【請求項２】
前記内層と前記外層の間に熱伝導ペーストが充填され、且つ前記外層の両端にＯリングを介して前記低圧管と前記高圧管がそれぞれ連結され、両側の前記Ｏリングの外側にそれぞれ軸受けが設置されることを特徴とする、請求項１に記載の人工雪製造機用ドラム式蒸発器。
【考案の詳細な説明】
【技術分野】
【０００１】
本考案は人工雪製造機用ドラム式蒸発器に関し、特に、人工雪の製造に用いられ、且つ密封効果に優れた、人工雪製造機用ドラム式蒸発器に関する。
【背景技術】
【０００２】
人工雪製造機とは、人工雪の製造に用いられるものであり、一般に人工雪製造機は圧縮機、低圧管と高圧管をそれぞれ介して前記圧縮機に連結されたドラム式蒸発器を含み、現有の技術において、一般的な蒸発器のドラムは一層であり、前記高圧管が冷媒を前記ドラム内に送り込み、前記低圧管から出力し、前記ドラムが前記高圧管と前記低圧管のある管（固定された管）の周りを回転し、前記ドラムと前記高圧管及び前記低圧管がパッキンワッシャにより密封される。しかしながら、前記高圧管の圧力が非常に高いため、前記パッキンワッシャで密封しきれず、製氷の過程において冷媒が漏れ出しやすい。
【考案の概要】
【考案が解決しようとする課題】
【０００３】
本考案の主な目的は、人工雪の製造に用いる密封効果に優れた人工雪製造機用ドラム式蒸発器を提供することにある。
【課題を解決するための手段】
【０００４】
本考案のドラム式蒸発器は、内外二層を含み、そのうち前記内層が高圧管及び低圧管上に固定され、前記外層が前記内層と相互に対応し、且つ相対して回転可能であり、前記内層と前記外層の間に熱伝導ペーストが充填され、且つ前記外層の両端にＯリングを介して前記低圧管と前記高圧管がそれぞれ連結され、両側の前記Ｏリングの外側にそれぞれ軸受けが設置される。冷媒が前記高圧管のノズルから噴出されると、前記外層のドラムが前記内層の蒸発ドラムに相対して回転し、回転速度を上げても冷媒が外部に漏れ出ることがない。
【考案の効果】
【０００５】
上述の技術により、本考案のドラム式蒸発器は、従来の人工雪製造機に存在する、前記人工雪製造機の高圧管の圧力が非常に高いため、前記パッキンワッシャで密封しきれず、製氷の過程において冷媒が漏れ出しやすいという問題点を打破し、前記ドラム式蒸発器の前記ドラムを二層に分け、前記内層を前記高圧管上に設置し、さらに密封することで、密封効果に優れ、製氷過程において冷媒が漏れ出しにくく、実用性と進歩性を備えている。
【図面の簡単な説明】
【０００６】
【図１】本考案の最良の実施例の動作原理を示す概略図１である。
【図２】本考案の最良の実施例の動作原理を示す概略図２である。
【図３】本考案のドラム式蒸発器の構造を示す断面図である。
【考案を実施するための形態】
【０００７】
図１と図２に本考案の最良の実施例の動作原理を示す概略図１と２を示す。これらの図からはっきりと分かるように、本考案のドラム式蒸発器１２０は、両端に高圧管１０２及び低圧管１０１がそれぞれ連通され、冷媒が圧縮機１０５中から矢印の方向に沿って、前記高圧管１０２を通過して前記ドラム式蒸発器１２０まで輸送される。且つ前記人工雪製造機が、各動作部材を密封する筐体１１３、蒸発器の支持体１１５を支持する取付台１１４、ドラム式蒸発器１２０の取付けに用いる蒸発器の支持体１１５、筐体１１３を開くためのドア１１８、圧縮機１０５を取付けるためのシャーシ１１１、製造した雪１１２を含む。
【０００８】
そのうち、前記ドラム式蒸発器１２０の外側に前記外層ドラム１２５の外側表面に生成される氷を削り取るナイフ１１７が設置され、ドラム式蒸発器１２０の下方に水容器１１６が設置され、前記水容器１１６には水が入れられ、ドラム式蒸発器１２０の回転により前記水容器１１６の水が氷になる。図３に本考案のドラム式蒸発器の構造を示す断面図を示す。この図からはっきりと分かるように、前記人工雪製造機用ドラム式蒸発器１２０は内外二層を含み、前記外層がドラム１２５であり、前記内層が蒸発ドラム１２６であって、前記蒸発ドラム１２６が前記高圧管１０２及び前記低圧管１０１上に固定される。本実施例において、前記ドラム１２５の両端にＯリング１２１、１２２を介して上述の低圧管１０１及び前記高圧管１０２がそれぞれ連結される。両側の前記Ｏリング１２１、１２２の外側にさらに低圧管１０１と高圧管１０２の取り付けに用いる軸受け１２７、１２９がそれぞれ設置される。前記ドラム１２５は回転することができる。
【０００９】
本実施例において、前記ドラム式蒸発器１２０内の冷度を迅速にドラム１２５の外層の外側表面に導き出すために、前記内層の蒸発ドラム１２６及び前記外層的ドラム１２５の間に熱伝導ペースト１３０が充填される。
【００１０】
本実施例の提供するドラム式蒸発器１２０は内外二層を備え、前記内層の蒸発ドラム１２６が前記高圧管１０２及び前記低圧管１０１上に固定されるが、これは溶接固定としてもよい。前記外層のドラム１２５及び前記内層の蒸発ドラム１２６の間に熱伝導ペースト１３０が充填され、前記熱伝導ペースト１３０はいかなる圧力もないため、Ｏリング１２１、１２２を使用して簡単に密封すればよい。且つ冷媒１２４は高圧管１０２のノズル１２３から噴出され、外層のドラム１２５は内層の蒸発ドラム１２６に相対して回転可能であり、回転速度を上げても、冷媒１２４が外部に漏れ出さない。
【００１１】
このため、全部の図に示すように、本考案の使用時は、従来技術と比較して、次のような利点が確実に存在する。
【００１２】
前記外層のドラム１２５及び前記内層の蒸発ドラム１２６の間には熱伝導ペースト１３０が充填され、前記熱伝導ペースト１３０はいかなる圧力もないため、Ｏリング１２１、１２２を使用して簡単に密封すればよい。且つ冷媒１２４は高圧管１０２のノズル１２３から噴出され、外層のドラム１２５が内層の蒸発ドラム１２６に相対して回転し、回転速度を上げても冷媒１２４が外部に漏れ出さない。
【符号の説明】
【００１３】
１０１      低圧管
１０２      高圧管
１０５      圧縮機
１１１      シャーシ
１１２      雪
１１３      筐体
１１４      取付台
１１５      支持体
１１６      水容器
１１７      ナイフ
１１８      ドア
１２０      ドラム式蒸発器
１２１、１２２    Ｏリング
１２３      ノズル
１２４      冷媒
１２５      ドラム
１２６      蒸発ドラム
１２７、１２９    軸受け
１３０      熱伝導ペースト
【図１】
0003156583.tif 000003
【図２】
0003156583.tif 000004
【図３】
0003156583.tif 000005